(57)【要約】【課題】ＭＩＣＲ文字情報等の読み取り対象情報に間違った情報が存在することや、重送等の紙葉類の誤搬送が発生した場合には、紙葉類に対する印刷処理（エンドース）を中止し、紙葉類への誤印刷を回避可能とする。【解決手段】搬送される紙葉類上の所定領域に表示若しくは印字される文字情報を読み取るＭＩＣＲリーダ２と、前記情報読取手段により読み取られた文字情報に基づく情報を紙葉類に印刷する印刷部３とを備える情報読取装置にあって、紙葉類の誤搬送が検知された場合、紙葉類に対する文字情報に基づく情報の印刷処理を中止する。【選択図】  図１
2004174856.tif 000002
【特許請求の範囲】
【請求項１】
紙葉類を搬送する搬送手段と、
前記搬送手段により搬送される前記紙葉類上の所定領域に表示若しくは印字される対象情報を読み取る情報読取手段と、
前記情報読取手段により読み取られた前記対象情報に基づく情報を前記紙葉類に印刷する印刷手段と、
前記紙葉類の誤搬送を検知する誤搬送検知手段とを有し、
前記印刷手段は、前記誤搬送検知手段により前記紙葉類の誤搬送が検知された場合、前記紙葉類に対する前記対象情報に基づく情報の印刷処理を中止することを特徴とする情報読取装置。
【発明の詳細な説明】
【０００１】
【発明の属する技術分野】
本発明は、小切手等の紙葉類の所定位置に印字等された情報を読み取り、その情報に基づき紙葉類にエンドースする情報読取装置に関するものである。
【０００２】
【従来の技術】
一般に、公共料金の請求書やサービスの申込書等の紙葉類や手形・小切手等の有価証券を分類整理する為にスキャナ装置が用いられている。
【０００３】
スキャナ装置は、紙葉類のある所定領域に表示、若しくは印字されている文字・画像・記号・バーコード等を認識し、記憶していた分類情報と比較することにより分類を行う。また一般的に、分類を行う為にスキャナ装置に搭載されているメモリ等によって予め分類する為の分類情報が記憶されている。
【０００４】
例えば、銀行などの金融機関の場合、手形や小切手等の有価証券用紙（以下代表して小切手と呼ぶ）を分類整理する為に主に手形専用のスキャナ装置を用いている。スキャナ装置は、小切手の所定位置に磁気インク文字によって印字されているＭＩＣＲ文字をスキャナ装置に組込まれている磁気ヘッドで磁気的に、または光学的に認識を行い（以後この認識装置をＭＩＣＲリーダと呼ぶ）、読み出したＭＩＣＲ文字情報に基づいて分類を行っている。分類方法としては、銀行別、口座別、金額別、支払日別等がある。このような小切手の一連の処理は、利用者から小切手を預かって処理を終えるまで１日ほどで行わなければならず、非常に速い処理速度が求められる作業である。
【０００５】
次に文字情報の読み取りに誤りがなかった場合の小切手の流れを説明する。載置部から給紙された小切手は、ＭＩＣＲリーダでＭＩＣＲ文字情報を読み取られ、読み取られた小切手の裏側に、エンドーサと呼ばれる印刷装置で、「いつ、どこの銀行で、小切手が受け付けられたか」等の情報がエンドース（裏書き）される。（エンドーサとは、銀行で「いつ、どこの銀行で小切手が受け付けられたか」等の情報を印刷するために用いられ、一般的にはハンコなどで押印するスタンプ、若しくは周知のインクジェット装置のことである。また、エンドースとは、裏書をするという意味である。ここでは、エンドースは、小切手の裏面に「いつ、どこの銀行で小切手が受け付けられたか」等の情報を印刷するという意味として考える。小切手の場合、表面には、名前、金額等の重要な情報が書かれているため、「いつ、どこの銀行で小切手が受け付けられたか」などの情報は、小切手の裏側に、印刷されることが望ましい。）印刷された後、画像読み取り装置により画像を読み取り、読み取られた小切手は、最後収納部で収納される。
【０００６】
【発明が解決しようとする課題】
一方で、文字情報の読み取りに誤りがあった場合には、誤って読み取られた文字情報に基づいてエンドースを行うと、誤った情報が小切手に印刷されてしまう畏れがある。しかしながら、従来の装置は、このような懸念事項に対処したものは存在しなかった。
【０００７】
本発明は、上記問題点に鑑みてなされたものであり、ＭＩＣＲ文字情報等の読み取り対象情報に間違った情報が存在することや、重送等の紙葉類の誤搬送が発生した場合には、紙葉類に対する印刷処理（エンドース）を中止し、紙葉類への誤印刷を回避する情報読取装置を提供することを目的とする。
【０００８】
【課題を解決するための手段】
斯かる目的を達成するために、本発明の情報読取装置は、紙葉類を搬送する搬送手段と、前記搬送手段により搬送される前記紙葉類上の所定領域に表示若しくは印字される対象情報を読み取る情報読取手段と、前記情報読取手段により読み取られた前記対象情報に基づく情報を前記紙葉類に印刷する印刷手段と、前記紙葉類の誤搬送を検知する誤搬送検知手段とを有し、前記印刷手段は、前記誤搬送検知手段により前記紙葉類の誤搬送が検知された場合、前記紙葉類に対する前記対象情報に基づく情報の印刷処理を中止することを特徴とする。
【０００９】
【発明の実施の形態】
以下、本発明を適用した好適な実施形態を、添付図面を参照しながら詳細に説明する。尚、以下では、文字情報や画像情報の読み取り対象となる紙葉類を小切手として説明する。
【００１０】
＜第１の実施形態＞
図１は、本発明に係るスキャナ装置の第１の実施形態及び後述する第２の実施形態を示した外観図である。
このスキャナ装置７は、小切手を載置する載置部１と小切手の束を１枚１給紙する給紙装置９と、搬送される小切手の有無を検知するセンサ８と、小切手に印字されている文字情報を読み取るＭＩＣＲリーダ２と、エンドーサ３と画像読み取り部４と、小切手の仕分けを行う部分５と小切手を収納する収納部６ａと６ｂとから構成されている。画像読み取り部４は両面を読み取ることができる。
【００１１】
この装置は、前記載置部１に載置された小切手の束を、１枚ずつ給紙装置９で給紙、搬送し、前記ＭＩＣＲリーダ２で読み取った後、前記エンドーサ３で、小切手の裏面に「いつ、どこの銀行で小切手が受け付けられたか」などの情報を印刷し、前記画像読み取り部４で画像を読み取り、前記ＭＩＣＲリーダ２で読み取った情報を基に、前記収納部の６ａと６ｂそれぞれに仕分けを行うようになっている。ここで収納部の使い方として、ＭＩＣＲ文字情報が読めた小切手は６ａ側、全く読めなかった小切手及び、重送された小切手は、６ｂ側と分別するという用途に使っても良い。
【００１２】
図１０は、本実施形態及び後述する第２の実施形態に適用可能な小切手の外観図である。
小切手の表面には、名前、金額、日にちなどが、書かれている。このため、表面に書かれている情報は重要である。また、一般的には、ＭＩＣＲ文字は、小切手の表面下側に書かれている。小切手の裏面では、エンドーサで、「いつ、どこの銀行で小切手が受け付けられたか」等の情報がエンドースされている。表面は、重要な情報が書かれているので、表面にエンドーサで印刷し、表面の情報が読めなくなることは避けなければならない。
【００１３】
図２は、本実施形態におけるＭＩＣＲリーダ２とエンドーサ３の配置状態を示した図である。点線は、小切手が搬送される軌跡を描いたものである。
図２において、ＭＩＣＲリーダ２は、図２内の小切手２３が搬送される向きを基準にして、小切手の表面下側２２に配置されている。エンドーサは、小切手の裏面側２１に配置されている。
【００１４】
図５は、本実施形態におけるスキャナ装置の制御系の構成を示したブロック図である。
制御系は、スキャナ装置本体７の動作を制御するホスト制御部３０７と、画像読み取り装置制御部３０１と搬送制御部３０２と、ＭＩＣＲ文字情報が未読かどうかを判断するＭＩＣＲ文字未読判断制御部３０３と、重送などの誤搬送を検知する誤搬送検知部３０４と、エンドーサ制御部３０５と収納部仕分け制御部３０６とで構成されている。
【００１５】
前記搬送制御部３０２は、小切手の束を１枚１枚搬送する前記給紙装置９による給紙から収納されるまでの搬送の制御を行う。ＭＩＣＲ文字未読判断制御部３０３は、読み取ったＭＩＣＲ文字情報の文字数を調べ、ある文字数未満読み取れた場合（通常は、「ある文字数」を１文字としている）、ＭＩＣＲ文字未読情報を、読み取った画像情報が書き込まれたファイルを作成する際、そのファイルのヘッダに付加することができる。しかし、ある文字数以上読めた小切手の中には、全てのＭＩＣＲ文字が読めたものも含まれているので、その場合は、ＭＩＣＲ文字未読情報は、ヘッダに付加されない。
【００１６】
誤搬送検知部３０４は、重送を検知できるものであってもよい。重送は、紙の厚みを測るなどの周知の重送検知手段を用いて、重送が検知される。重送が検知された場合、エンドーサ制御部３０５によりエンドーサを止めエンドースしない。
【００１７】
エンドーサ制御部３０５は、ＭＩＣＲ文字未読判断制御部３０３からの情報に基づいて、ある文字数以上読み取れた場合は、印刷し、ある文字数未満読み取れた場合は、印刷しないようにエンドーサを制御する。（小切手の表面には金額、名前などの重要な情報が書き込まれているため、表面にエンドーサで印刷してしまうと、表面の重要な情報が読めなくなる問題が生じる。そのため、小切手の表面には、印刷してはならない。）収納部仕分け制御部３０６は、ＭＩＣＲ文字情報の内容で、ＭＩＣＲ文字がある文字数以上読めた場合、収納部６ａに仕分けし、ある文字数未満読み取れた場合、または、重送が検知された場合、収納部６ｂに仕分けを行う。
【００１８】
次に図４を用いて具体的に小切手の搬送の制御の流れを説明する。
まず始めに、小切手が載置部１にセットされる。ＭＩＣＲリーダの前に、紙の有無を検知するセンサ８が設置されており、小切手が搬送されたかどうかを判断する（ステップＳ８０１）。搬送されてこなかったと判断した場合は、「紙が搬送されていません」のエラーをパソコン上に表示する（ステップＳ８０２）。
【００１９】
ＭＩＣＲリーダまで小切手が搬送された場合、表面下側のＭＩＣＲリーダが読み取れたかの判断（ステップＳ８０３）を行う。読み取れなかった場合は、エンドーサの動作を止め（ステップＳ８０４）、印刷せず、全く読めなかった小切手として収納部６ｂへ収納する（ステップＳ８０６）。
【００２０】
ステップＳ８０３でＭＩＣＲリーダが読み取れた場合、重送が検知されたか調べ（ステップＳ８０５）、重送が検知されたら、エンドーサを停止し（ステップＳ８０７）、小切手を収納部６ｂへ収納する（ステップＳ８１０）。重送が検知されなかった場合、ＭＩＣＲ文字未読判断（ステップＳ８０８）でＭＩＣＲ文字情報に未読が含まれているかどうかの判断を行う。読み取られたＭＩＣＲ文字情報が、ある文字数以上読み取れた場合、収納部６ａに収納する（ステップＳ８１１）。ある文字数未満読み取れた場合は、読み取った画像情報の書かれたファイルのヘッダに未読情報を付加し、収納部６ｂに収納する（ステップＳ８０９）。
【００２１】
読み取られた画像は、パソコンに送られ、画像ファイルとして、ハードディスクに保存され、パソコン上で表示することができる。読み取られた画像は、図７のスキャン画像表示フローチャートの流れで表示される。始め、画像ファイルを１枚目から、読み取った総画像数（ｎ）まで１枚ずつ未読情報が含まれているか調べる。（ステップＳ５０１→Ｓ５０２→Ｓ５０４）ここで、ｉは、ｉ枚目の画像を表す変数とする。画像情報に未読情報が含まれていた場合、未読情報が含まれている画像を表示し（ステップＳ５０５）、パソコン上で作業者が、ＭＩＣＲ文字情報を修正する（ステップＳ５０６）。修正後、ｉ＋１枚目の画像を同様に調べ、読み取った画像の総枚数に達すると、終了する（ステップＳ５０３）。
【００２２】
次にパソコン上での修正の仕方を図８（ａ）を用いて説明する。
読み取られた画像ファイルの中に未読情報が付加されたものは、図８（ａ）に示すように表面、裏面の画像を表示したウインドウが作成される。また、ウインドウの下側に、ＭＩＣＲ文字修正ダイアログがある。ＭＩＣＲ文字修正ダイアログで、作業者がウインドウ上側の画像からＭＩＣＲ文字情報で足りない部分を読み、ＭＩＣＲ文字をキーボードから入力、修正を行う。これにより、読み取られた小切手のＭＩＣＲ文字情報の中に間違った文字情報が含まれていたり、何文字か抜け落ちている場合、ディスプレイで表示された小切手の画像を見て、パソコンに送られたＭＩＣＲ文字情報をパソコン上で修正することが可能となる。よって、修正された文字情報に基づいてエンドースすることにより、ＭＩＣＲ文字情報を装置に再投入する手間を省くことができる。
【００２３】
＜第２の実施形態＞
次に本発明の第２の実施形態を添付図面を参照しながら詳細に説明する。本実施形態のスキャナ装置の外観（図１）と、小切手が給紙され、収納部まで搬送されるまでの流れは、上記第１の実施形態と同じである。
【００２４】
図３は、本実施形態におけるＭＩＣＲリーダとエンドーサの配置状態を示した図である。図中の点線は、小切手が搬送される軌跡を描いたものである。図３において、ＭＩＣＲリーダは、図３内の小切手１６が搬送される向きを基準にして、小切手の表面上側１０、表面下側１１、裏面下側１２、裏面上側１３、エンドーサは、小切手の裏面側１４、表面側１５の位置に配置されている。
【００２５】
制御系の構成と処理の仕方は、上記第１の実施形態と略同じであるが、ここでは、搬送されてくる小切手の向きに対応するために、４つのＭＩＣＲリーダと２つのエンドーサを使用しているので、搬送されてくる小切手の全ての向きに対応した処理が加わっている。つまり、小切手の搬送されてくる向きに応じて、印刷する文字の向きを反転、回転する処理を行わなければならない。具体的には、図９（ａ）に示すように、文字を反転、回転した文字情報をフォントとして持ち、小切手が搬送されてくる向きに応じて、フォントから文字を呼び出し、また、図９（ｂ）に示すように、文字を印刷する際、文字の順番も逆にする操作を行う。
【００２６】
搬送されてくる小切手の向きは、ＭＩＣＲ文字情報をどのＭＩＣＲリーダで読み取れたかによってわかる。具体的には、表面下側１１のＭＩＣＲリーダが読み取れた場合、小切手の搬送方向は正常（ここでいう正常とは、図３の小切手１６の搬送方向に沿った方向のことをいう）、表面上側１０のＭＩＣＲリーダが読み取れた場合、小切手の搬送方向は天地逆、裏面下側１２のＭＩＣＲリーダが読み取れた場合、小切手の搬送方向は裏表逆、裏面上側１３のＭＩＣＲリーダが読み取れた場合、小切手の搬送方向は天地裏表逆となることがわかる。
【００２７】
以下、小切手の向きに対する印刷文字の向きのパターンを図９（ｂ）を参照して、正常な場合、正常３４パターン、天地逆の場合、天地逆３５パターン、裏表逆の場合、裏表逆３６パターン、天地裏表逆の場合、天地裏表逆３７パターンとして印刷向きと文字の印刷順を表現する。図６は、小切手が給紙され、収納されるまでの流れを示したフローチャートである。一連の制御は上記第１の実施形態と略同じであるが、ここでは、搬送された小切手の向きに対応した印刷文字の向きの処理が加わっている。
【００２８】
具体的に説明すると、（ステップＳ７０３）で、表面下側１１のＭＩＣＲリーダが、ＭＩＣＲ文字を読み取った場合、搬送された小切手の向きは、正常な方向である（図３参照）。このときは、エンドーサで印刷する文字は、正常３４のパターン（図９参照）で印刷される。また、（ステップＳ７０４）で、表面上側１０のＭＩＣＲリーダが、ＭＩＣＲ文字を読み取った場合、搬送された小切手の向きは、天地逆である。このときは、エンドーサで印刷する文字は、天地逆３５パターン（図９参照）で印刷される。また、（ステップＳ７０５）で、裏面下側１２のＭＩＣＲリーダが、ＭＩＣＲ文字を読み取った場合、搬送された小切手の向きは、裏表逆である。このときは、エンドーサで印刷する文字は、裏表逆３６パターン（図９参照）で印刷される。また、（ステップＳ７０６）で、裏面上側１３のＭＩＣＲリーダが、ＭＩＣＲ文字を読み取った場合、搬送された小切手の向きは、天地裏表逆である。このときは、エンドーサで印刷する文字は、３７パターン（図９参照）で印刷される。また、（ステップＳ７０６）でＭＩＣＲ文字情報が読み取れなかった場合、搬送されてきた小切手は、ＭＩＣＲ文字情報が書いてないか、全てのＭＩＣＲ文字情報が汚れているか、真中にＭＩＣＲ文字が書かれているかの状態と考えられる。（ステップＳ７０６）でＭＩＣＲ文字情報が読み取れないと判断されると、小切手は収納部６ｂに収納される。以上の処理が、本実施形態において追加されたものである。
【００２９】
これにより、裏表逆、天地逆もしくは裏表天地逆の紙葉類がまぎれていた場合でも紙葉類の向きを直して、装置に再投入する手間を省くことができる。
【００３０】
ＭＩＣＲリーダで読み取ったＭＩＣＲ文字情報が、ある文字数以上読み取れていた場合、エンドーサで印刷し、ある文字数未満読み取れていた場合は、エンドーサを止め、印刷しないという処理は、上記第１の実施形態と変わっていない。読み取った画像をパソコン上で表示するフローチャートは、第１の実施形態において図７を用いて説明したとおりである。
【００３１】
次に画像修正が必要であると作業者に知らせるためのウインドウ表示を図８（ｂ）を用いて説明する。図８（ｂ）のウインドウの表示例では、表裏逆の場合の例である。この例の場合は、小切手は、裏表逆で搬送されたことになる。しかし裏面、表面が両方表示されているので、画像を作業者が読み取る上では、問題はない。パソコン上での修正の仕方を説明すると、読み取られた画像ファイルの中に未読情報が付加されたものは、図８（ｂ）に示すように表面、裏面の画像を表示したウインドウが作成される。また、ウインドウの下側に、ＭＩＣＲ文字修正ダイアログがある。ＭＩＣＲ文字修正ダイアログで、作業者がウインドウ上側の画像からＭＩＣＲ文字情報で足りない部分を読み、ＭＩＣＲ文字をキーボードから入力、修正を行う。以上の構成によって、スキャナ装置で小切手が処理される。
【００３２】
以上詳述したように、上記実施形態によれば、搬送状態が重送で送られた誤搬送の場合、印刷部を止め、紙葉類の表面にエンドースしないようになった。このことによって、本来印刷するべき紙葉類以外の紙葉類に印刷することを防ぐことが出来る。
【００３３】
また、上記実施形態によれば、読み取った画像情報にＭＩＣＲ文字未読情報を付加することによって、読み取った画像の中から未読情報を含んだ画像を見つけることが出来る。作業者がパソコン上で表示された画像から、作業者がＭＩＣＲ文字情報の欠損部分を補うことができるので、ＭＩＣＲ文字に未読を含んでいた紙葉類の現物を探して、再度装置に投入する手間はなくなった。
【００３４】
また、上記実施形態によれば、複数のＭＩＣＲリーダとそれに対応する複数のエンドーサを用いることによって、紙葉類の紙束の中に紙葉類の搬送向きが裏表逆、天地逆または、裏表天地逆の紙葉類が混ざっていたとしても、紙葉類の向きに対応して、エンドーサで印刷文字を印刷することができる。更に、かかる構成により紙葉類に搬送向きによるＭＩＣＲ文字の読み取りミスも軽減できた。
【００３５】
＜その他の実施形態＞
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３６】
この場合、記憶媒体から読み出されたプログラムコード自体が前述した実施形態の機能を実現することになり、プログラムコード自体及びそのプログラムコードを記憶した記憶媒体は本発明を構成することになる。
【００３７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３８】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。
【００３９】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００４０】
ここで、本発明の実施態様の例を以下に列挙する。
［実施態様１］紙葉類を搬送する搬送手段と、
前記搬送手段により搬送される前記紙葉類上の所定領域に表示若しくは印字される対象情報を読み取る情報読取手段と、
前記情報読取手段により読み取られた前記対象情報に基づく情報を前記紙葉類に印刷する印刷手段と、
前記紙葉類の誤搬送を検知する誤搬送検知手段とを有し、
前記印刷手段は、前記誤搬送検知手段により前記紙葉類の誤搬送が検知された場合、前記紙葉類に対する前記対象情報に基づく情報の印刷処理を中止することを特徴とする情報読取装置。
【００４１】
［実施態様２］前記誤搬送検知手段は、前記情報読取手段による前記対象情報の読み取り結果に基づいて、前記紙葉類の誤搬送を検知することを特徴とする実施態様１に記載の情報読取装置。
【００４２】
［実施態様３］前記誤搬送検知手段は、前記情報読取手段が読み取った前記対象情報の文字数に基づいて、前記紙葉類の誤搬送を検知することを特徴とする実施態様２に記載の情報読取装置。
【００４３】
［実施態様４］前記誤搬送検知手段は、前記情報読取手段により読み取られた前記対象情報の文字数が所定の文字数以下である場合に前記紙葉類の誤搬送を検知することを特徴とする実施態様３に記載の情報読取装置。
【００４４】
［実施態様５］利用者の操作入力により、前記情報読取手段にて読み取られた前記対象情報を修正する修正手段を更に有し、
前記印刷手段は、前記修正手段により修正された前記対象情報に基づく情報を前記紙葉類に印刷することを特徴とする実施態様１〜４の何れか１項に記載の情報読取装置。
【００４５】
［実施態様６］前記誤搬送検知手段は、前記紙葉類の重送を検知することを特徴とする実施態様１に記載の情報読取装置。
【００４６】
［実施態様７］前記情報読取手段は、前記所定領域である前記紙葉類上の複数の領域に対する情報の読み取り動作を行い、前記印刷手段は、前記複数の領域のうち前記対象情報が読み取られた領域に対応した印刷処理を実行することを特徴とする実施態様１に記載の情報処理装置。
【００４７】
［実施態様８］紙葉類を搬送する搬送手段と、前記搬送手段により搬送される前記紙葉類上の所定領域に表示若しくは印字される対象情報を読み取る情報読取手段と、前記情報読取手段により読み取られた前記対象情報に基づく情報を前記紙葉類に印刷する印刷手段とを有する情報読取装置の制御方法であって、
前記紙葉類の誤搬送を誤搬送検知手段により検知するステップと、
前記誤搬送検知手段により前記紙葉類の誤搬送が検知された場合、前記印刷手段による前記紙葉類に対する前記対象情報に基づく情報の印刷処理を中止するステップとを含むことを特徴とする情報読取装置の制御方法。
【００４８】
［実施態様９］実施態様８に記載の情報読取装置の制御方法をコンピュータに実行させるためのプログラム。
【００４９】
［実施態様１０］実施態様９に記載のプログラムを記録したコンピュータ読み取り可能な記録媒体。
【００５０】
【発明の効果】
本発明によれば、ＭＩＣＲ文字情報等の読み取り対象情報に間違った情報が存在することや、重送等の紙葉類の誤搬送が発生した場合には、紙葉類に対する印刷処理（エンドース）を中止し、紙葉類への誤印刷を回避することが可能となる。
【図面の簡単な説明】
【図１】本発明に係るスキャナ装置の第１の実施形態及び第２の実施形態を示した外観図である。
【図２】本発明の第１の実施形態におけるＭＩＣＲリーダとエンドーサの配置状態を示した図である。
【図３】本発明の第２の実施形態におけるＭＩＣＲリーダとエンドーサの配置状態を示した図である。
【図４】小切手の搬送制御の流れを示したフローチャートである。
【図５】スキャナ装置の制御系の構成を示したブロック図である。
【図６】小切手が給紙され、収納されるまでの流れを示したフローチャートである。
【図７】スキャン画像を表示処理の流れを示したフローチャートである。
【図８】パソコン上におけるＭＩＣＲ文字情報の修正方法を説明するための図である。
【図９】スキャナ装置が搬送される小切手の向きに応じて実行する処理を説明するための図である。
【図１０】本発明の第１及び第２の実施形態に適用可能な小切手の外観図である。
【符号の説明】
１  収納部（ホッパー部）
２  ＭＩＣＲリーダ
３  エンドーサ
４  画像読み取り部
５  仕分け部
６ａ，６ｂ  収納部
７  スキャナ装置
８  センサ
９  給紙装置
１０  表面上側のＭＩＣＲリーダ
１１  表面下側のＭＩＣＲリーダ
１２  裏面下側のＭＩＣＲリーダ
１３  裏面下側のＭＩＣＲリーダ
１４  裏面側のエンドーサ
１５  表面側のエンドーサ
１６  紙葉類
【図１】
2004174856.tif 000003
【図２】
2004174856.tif 000004
【図３】
2004174856.tif 000005
【図４】
2004174856.tif 000006
【図５】
2004174856.tif 000007
【図６】
2004174856.tif 000008
【図７】
2004174856.tif 000009
【図８】
2004174856.tif 000010
【図９】
2004174856.tif 000011
【図１０】
2004174856.tif 000012